(57)【要約】【課題】  従来技術では、係止舌片の長さが十分あり、また舌片間に挿入される車体は突合せ熔接等される箇所であってトリムにより意匠的に覆い隠されるものでもあるので、樹脂成形における収縮に起因する意匠面での外観の悪化の問題を生じない。上記車体に相当する挿入構造を樹脂製内装材側に形成する必要がある場合には、上記従来の技術をそのまま採用することには、成形収縮による外観品質の点と保持強度の点で問題がある。【解決手段】  意匠面の裏側に取付ボスが突出形成され、取付ボスは、少なくとも一側にリブ部５２と肉抜き部６２とを有し、リブ部５２は、相手部品とフィニッシャとを相互に結合させる圧入金具の挿入部に面して形成され取付ボスの引抜方向に対して鋭角をなす傾斜突片４１ａの先端の一部に形成された当接部に対向して係合され、肉抜き部６２は、先端の他の部分に対応する箇所に形成されるフィニッシャ取付構造。【選択図】図３
2006327264.tif 000002
【特許請求の範囲】
【請求項１】
相手部品に取り付けられ意匠面を有するフィニッシャの取付構造であって、意匠面の裏側に取付ボスが突出形成され、取付ボスは、少なくとも一側にリブ部と肉抜き部とを有し、リブ部は、相手部品とフィニッシャとを相互に結合させる圧入金具の挿入部に面して形成され取付ボスの引抜方向に対して鋭角をなす傾斜突片の先端の一部に形成された当接部に対向して係合され、肉抜き部は、先端の他の部分に対応する箇所に形成されることを特徴とするフィニッシャ取付構造。
【請求項２】
圧入金具は、一対の傾斜突片を有し、取付ボスは、対向する一対の当接部の間に挿入される請求項１記載のフィニッシャ取付構造。
【請求項３】
前記一対の傾斜突片の当接部のそれぞれは互いに対向して形成されることを特徴とする請求項２記載のフィニッシャ取付構造。
【請求項４】
傾斜突片は、圧入金具の挿入部内側に一体に形成した切り起こし片であることを特徴とする請求項１〜請求項３のいずれか１項に記載のフィニッシャ取付構造。
【発明の詳細な説明】
【技術分野】
【０００１】
本発明は、フィニッシャ取付構造に関し、さらに詳しくは自動車のフィニッシャ等の意匠面を有する装飾パネル類の取付構造に関するものである。
【背景技術】
【０００２】
フィニッシャ、トリムパネルなど、車両等の内装部品を取付ける場合に、バネ鋼材や弾性のある樹脂を用いた係止手段であるクリップ、ファスナを利用して、嵌め込んで組付けるだけの簡単な作業とすることが行われている。例えばカウルサイドトリムのような内装材であるトリム１に立壁１７を突設し、クリップ２を挿入して爪１８によって一体的に固定する。このクリップ２の係止舌片７、７の間に車体５のフランジ部６を挿入し、ビード２０（第１のビード）に係合させて、抜け出しを防止している自動車の内装材取付装置（例えば、特許文献１参照）が存在している。
【特許文献１】実公平６−４１８９０号公報（実用新案登録請求の範囲、実施例の欄、及び第１図、第３図〜第６図を参照）
【発明の開示】
【発明が解決しようとする課題】
【０００３】
上記従来の技術が開示するクリップ２は、例えば公報の第６図にあるように、係止舌片７の長さが十分あり、また舌片７、７間に挿入される車体５は突合せ熔接等される箇所であってトリム１により意匠的に覆い隠されるものでもあるので、樹脂成形における収縮に起因する意匠面での外観の悪化の問題を生じない。上記車体５に相当する挿入構造を樹脂製内装材側に形成する必要がある場合には、上記従来の技術をそのまま採用することには、成形収縮による外観品質の点と保持強度の点で問題がある。
本発明は上記従来技術の問題点を解決せんとするもので、クリップ２の係止舌片７が十分な長さを持たない場合でも、意匠面に影響を及ぼすことがない挿入構造を形成したフィニッシャ取付構造を提供することを目的としている。
【課題を解決するための手段】
【０００４】
上記課題を解決するための本発明の第１発明は、請求項１に記載された通りのフィニッシャ取付構造であり、次のようなものである。
意匠面の裏側に取付ボスが突出形成され、取付ボスは、少なくとも一側にリブ部と肉抜き部とを有し、リブ部は、相手部品とフィニッシャとを相互に結合させる圧入金具の挿入部に面して形成され取付ボスの引抜方向に対して鋭角をなす傾斜突片の先端の一部に形成された当接部に対向して係合され、肉抜き部は、先端の他の部分に対応する箇所に形成される構成である。
【０００５】
上記課題を解決するための本発明の第２発明は、請求項２に記載された通りのフィニッシャ取付構造であり、次のようなものである。
請求項１記載の発明に加えて、圧入金具は、一対の傾斜突片を有し、取付ボスは、対向する一対の当接部の間に挿入される構成である。
【０００６】
上記課題を解決するための本発明の第３発明は、請求項３に記載された通りのフィニッシャ取付構造であり、次のようなものである。
請求項２記載の発明に加えて、前記一対の傾斜突片の当接部のそれぞれは互いに対向して形成される構成である。
【０００７】
上記課題を解決するための本発明の第４発明は、請求項４に記載された通りのフィニッシャ取付構造であり、次のようなものである。
請求項１〜請求項３のいずれか１項に記載の発明に加えて、傾斜突片は、圧入金具の挿入部内側に一体に形成した切り起こし片である構成である。
【発明の効果】
【０００８】
本発明に係るフィニッシャ取付構造は、上記説明のような構成であるので、以下に記載する効果を奏する。
（１）リブ部と傾斜突片の先端の当接部が引抜方向に係合してフィニッシャを相手部品から外れないように強固に保持できる。傾斜突片が短くてもリブ部が当接部に向かって延設されて長さを補うことができ、圧入金具の形状上の要求が緩和できる。したがって板材を切り起こしただけの圧入金具を適用しても十分な強度が確保可能となる。また、肉抜き部を傾斜突片の先端の他の部分に設けてあるので、取付ボスの基部に相当する意匠面側に成形収縮による陥没（いわゆるヒケ）が発生せず、フィニッシャの外観がよい。これによって、取付構造の設定場所選択上の制限、すなわち通常目立たちにくい箇所に取付構造を配置するという設計上の配慮を必要としなくなる。
（２）傾斜突片は挿入部に面して１つとしても、対向して一対の傾斜突片としてもよい。特に一対の傾斜突片による引抜方向に対して保持強度が一段と高まる。
（３）リブ部が、一対の傾斜突片の当接部のそれぞれは互いに対向して形成されるようにしてもよい。このような構成とすれば、リブ部が挟持されて引抜方向に対する保持力が一層高まる。
（４）挿入部の内側に一体に切り起こし片として傾斜突片を形成した圧入金具の適用にあっては、傾斜角度を大きくしても大きな保持力が得られ、フィニッシャを確実に取り付けることができる。
【発明を実施するための最良の形態】
【０００９】
相手部品に取り付けられ意匠面を有するフィニッシャの取付構造であって、意匠面の裏側に取付ボスが突出形成され、取付ボスは、少なくとも一側にリブ部と肉抜き部とを有し、リブ部は、相手部品とフィニッシャとを相互に結合させる、一対の圧入金具の挿入部内側に一体に形成した切り起こし片である傾斜突片を有し、取付ボスは、対向する一対の当接部の間に挿入される圧入金具の挿入部に面して形成され取付ボスの引抜方向に対して鋭角をなす傾斜突片の先端の一部に形成された当接部に対向して係合され、肉抜き部は、先端の他の部分に対応する箇所に形成されるフィニッシャ取付構造である。
【実施例１】
【００１０】
本発明は、意匠面のヒケ等による外観の低下を防止し引抜強度を確保できるフィニッシャの取付構造を提供するという目的に対して、取付ボスのリブ部を圧入金具の傾斜突片に係合させ、傾斜突片の先端の他の箇所に対応する取付ボスの他の箇所に肉抜き部を形成させることで実現したものである。
【００１１】
以下、図１〜図５を参照して本発明を適用したフィニッシャの一実施例を添付図面で詳細に説明する。
図１は自動車のセンターコンソール１を示し、変速操作装置２の両側に略ナツメ形のサイドフィニッシャ３を取り付けてある。このサイドフィニッシャ３は、ＡＢＳ樹脂などを射出成形して得た２つのシェル、すなわちインサイドシェル３１及びアウトサイドシェル３２と、バネ鋼材よりなるクリップ板３３となどから構成される（図２参照）。クリップ板３３は、図３に示すように、上下縁部４３、４４を有して断面略Ｃ字状に折り曲げられ、３つの挿通部４１、４２、４２が中央パネル部４０に形成されている。
挿通部４１は略矩形をなし、先端に鋸歯４１ａを形成した一対の傾斜突片４１ｂが形成される。挿通部４２は、略円形をなし、この円の中心に向けて略矩形の傾斜突片４２ｂを４つ設けてある。傾斜突片４１ｂと４２ｂは互いに反対方向に、すなわち、傾斜突片４１ｂは図３の右方向に、傾斜突片４２ｂは同図の左方向に起こされるように傾斜されている。
【００１２】
図２に符号５１を付して示したのは、ピンであり、アウトサイドシェル３２の裏面に一体に突設され、クリップ板３３の挿通部４２に挿通して係合される。ピン５１の基部にはリブ５２が形成され、ピン５１を挿通部４２に挿し込んでゆくと、クリップ板３３の中央パネル部４０に当って位置決めできる。傾斜突片４２ｂの傾斜は、ピン５１の挿入方向に対しては順目の傾斜に、引抜方向に対しては逆目になるので、挿入が容易であるのに対して引抜は、傾斜突片４２ｂが喰い込むために容易でない。なお、ピン５１を傾斜突片４２ｂを設けた挿通部４２により保持したが、そのような構造に限らず、例えば挿通部４２をピン５１が丁度挿通可能な単純な円孔として、ピン５１の先端側をヒータなどにより加熱軟化させて潰す、いわゆる熱カシメによってクリップ板３３をアウトサイドシェル３２に取り付けてもよい。
【００１３】
一方、インサイドシェル３１のピン５１に対向する箇所には、ボス６０が一体的に形成されている。このボス６０は高さ方向（矢印Ａ方向）に沿って複数のリブ６１が所定の間隔で形成されており、相隣するリブ６１、６１間に肉抜き部６２が設けてある。両端のリブ６１には傾斜部６１ａを設けてボス６０の倒れ防止のための補強をしている。両端のリブ６１の更に外側には横リブ６１ｂがある。
インサイドシェル３１をクリップ板３３を介してアウトサイドシェル３２に組付けた状態を図４に示した。なお、この図４では既に挿入されているピン５１については省略してある。
リブ６１、６１が横リブ６１ｂによって規制されて各鋸歯４１ａに正しく当り、挿入後に鋸歯４１ａが「逆目」係合して、上述のピン５１の場合と同様に挿入が容易で引抜きづらくなっている（図５参照）。
クリップ板３３は鋼板を切り起こして傾斜突片４１ｂを形成してあり、傾斜角αが小さいと引抜方向に対して角度が立ってしまって大きな保持力が出ないが、リブ６１により嵩厚みDを得ているので、傾斜角αを大きくすることができて、喰い付きによる保持力がきわめて大きいものとなる。このような効果を嵩厚みDに相当する寸法のソリッド状ブロック、すなわち肉抜き部６２を設けない形状によれば、ボスの基部に樹脂の成形収縮による笑窪状の凹部（通称ヒケ、またはシンクマークともいう）が形成されてしまうが、本実施例のサイドフィニッシャ３のように２つの部品を相互に組み合わせる場合であって２つの部品のいずれもが意匠面を持ち、その意匠面を結合させる必要がある場合には、上記の凹部が形成されてしまっては、意匠的に全く受け容れることができないレベルである。勿論ネジ止めなどによることも、ネジが露出するか、ネジを覆い隠す別の部品を必要とするので、商品性に劣るか、コスト高になるか、その両方となる。しかも、２つの部品が合わせラインで経時的に開くような状況も避けなければならないから、このような箇所に本発明を適用することは、きわめて有効であることがわかるものである。
【００１４】
また、ボス６０の設定箇所は強度を得る上で必要な箇所にすることができる。傾斜角の分とボスの挿入深さ分にいくらかの余長を加えた高さで取付部を構成できるので、コンパクトであり、そのためレイアウトがしやすい。
したがって、適用上に障害となる条件が緩和され、一層高いレイアウト自由度を獲得する。
【００１５】
図６は他の実施例である。一対の傾斜突片４１ｂの一方に対向してリブ６１を設けている。リブ６１は、適宜の高さを形成して、傾斜突片４１ｂの角度（実施例１の傾斜角αに対応する）を十分大きなものとして、保持力を得ることができる。なお、一対の傾斜突片４１ｂの先端にある鋸歯４１ａ、４１ａは、上記実施例では互いに向き合うように形成された態様を示したが、それに限られず、いくらかずれてもよいし、完全に相補的に、すなわち千鳥状に向きあうようにしてもよい。これによって切り起こし成形においてスクラップが少なくなり、傾斜突片４１ｂの長さが長くできるので、いわゆるリーチが長くなるから、ボスの撓みによりいくらか保持力が低めになる傾向を生ずるが、傾斜角を大きく取ることができるので、その作用による保持力アップの効果が得られる。
【００１６】
図７はさらに他の実施例である。傾斜突片４１ｂをクリップ板３３の挿通部４１の略矩形の開口における長手方向の一辺にのみ形成し、対向する他の長手方向の辺は直線状のエッジとしてある。このように、傾斜突片４１ｂは必ずしも一対である必要はなく、傾斜角度を大きく取ることによりクリップ板３３を上記実施例に示したクリップ板３３よりもより簡素な形状を採用することもできる。これにより、クリップ板３３を低コストで調達できる利点もある。
【産業上の利用可能性】
【００１７】
各種車両のフィニッシャの取り付けに利用することができる。
【図面の簡単な説明】
【００１８】
【図１】自動車のセンターコンソールを示す斜視図である。
【図２】本発明のフィニッシャ取付構造におけるサイドフィニッシャの構造を示す分解斜視図である。
【図３】前記図２のインサイドフィニッシャとクリップ板の取付け部の詳細を示す要部説明図である。
【図４】本発明のフィニッシャ取付構造におけるクリップ部の構造を示す平面図である。
【図５】本発明のフィニッシャ取付構造における、クリップ部にインサイドフィニッシャ内側部に設けられたボス部を挿入した際のクリップ部の状態を示す要部断面図である。
【図６】本発明のフィニッシャ取付構造におけるクリップ部の形状の他の実施例を示す平面図である。
【図７】本発明のフィニッシャ取付構造におけるクリップ部の形状のさらに他の実施例を示す平面図である。
【符号の説明】
【００１９】
１・・・・センターコンソール                ２・・・・変速操作装置
３・・・・サイドフィニッシャ              ３１・・・・インサイドシェル
３２・・・・アウトサイドシェル              ３３・・・・クリップ板
４０・・・・中央パネル部                    ４１・・・・挿通部
４１ａ・・・・鋸歯                          ４１ｂ・・・・傾斜突片
４２・・・・挿通部                        ４２ｂ・・・・傾斜突片
４３・・・・上縁部                          ４４・・・・下縁部
５１・・・・ピン                            ５２・・・・リブ
６０・・・・ボス                            ６１・・・・リブ
６１ａ・・・・傾斜部                        ６１ｂ・・・・横リブ
６２・・・・肉抜き部
Ｄ・・・・嵩厚み
【図１】
2006327264.tif 000003
【図２】
2006327264.tif 000004
【図３】
2006327264.tif 000005
【図４】
2006327264.tif 000006
【図５】
2006327264.tif 000007
【図６】
2006327264.tif 000008
【図７】
2006327264.tif 000009